(57)【要約】【課題】移動通信端末の小型化を維持したまま、ユーザが適切な状態で体温を計測することができる移動通信端末を提供する。【解決手段】本発明に係る移動通信端末（１００）は、表示部（５Ａ）と、ユーザが表示部（５Ａ）に接触した位置及び／又は圧力を検出する入力受付部（５Ｂ）と、を有するタッチパネル（５）と、ユーザの体温を検出する温度センサー（９）と、を備える。入力受付部（５Ｂ）は、ユーザの測定部位が温度センサーに適切に接触しているか否かを検出する機能を備える。【選択図】図１
2011176551.tif 000002
【特許請求の範囲】
【請求項１】
表示部と、ユーザが前記表示部に接触した位置及び／又は圧力を検出する入力受付部と、を有するタッチパネルと、
前記ユーザの体温を検出する温度センサーと、を備え、
前記入力受付部は、前記ユーザの測定部位が前記温度センサーに適切に接触しているか否かを検出する機能を備える、移動通信端末。
【請求項２】
体温を測定するプログラムの起動時において、前記入力受付部は、前記ユーザの測定部位が前記温度センサーに適切に接触しているか否かを検出する、請求項１に記載の移動通信端末。
【請求項３】
前記体温を測定するプログラムの起動時において、前記入力受付部は、前記ユーザの前記測定部位が前記タッチパネルに接触する接触面積を検出する、請求項１又は２に記載の移動通信端末。
【請求項４】
前記体温を測定するプログラムの起動時において、前記入力受付部は、前記ユーザの前記測定部位が前記タッチパネルに接触する接触圧力を検出する、請求項２又は３に記載の移動通信端末。
【請求項５】
スピーカーと、
前記入力受付部によって検出された前記接触面積及び／又は前記接触圧力に基づいて、前記ユーザに適切な計測状態を促すアナウンスを前記スピーカーから出力するデータ処理部と、を更に備えた請求項３又は４に記載の移動通信端末。
【請求項６】
前記体温を測定するプログラムの起動時において、前記表示部は、前記ユーザの前記測定部位が前記温度センサーに適切に接触しているか否かを検出する対象となる位置である検出対象位置を表示する、請求項２乃至５のうちいずれか１項に記載の移動通信端末。
【請求項７】
前記温度センサーは、前記タッチパネルの外周に配される、請求項１乃至６のうちいずれか１項に記載の移動通信端末。
【請求項８】
前記入力受付部は、静電容量式センサーを備える、請求項１乃至７のうちいずれか１項に記載の移動通信端末。
【請求項９】
前記入力受付部は、検知電極を備え、前記検知電極と前記ユーザの測定部位との間の静電容量と、複数のしきい値とを比較することにより前記接触圧力を検出する、請求項８に記載の移動通信端末。
【請求項１０】
表示部と、ユーザが前記表示部に接触した位置及び／又は圧力を検出する入力受付部と、を有するタッチパネルと、
前記ユーザの体温を検出する温度センサーと、を備えた移動通信端末の制御方法であって、
体温を測定するプログラムの起動時において、前記入力受付部によって前記ユーザの測定部位が前記温度センサーに適切に接触しているか否かを検出する
移動通信端末の制御方法。
【発明の詳細な説明】
【技術分野】
【０００１】
本発明は、体温計測機能を備えた移動通信端末及びその制御方法に関する。
【背景技術】
【０００２】
近年、新型インフルエンザ等の流行により、日々の体調・体温管理が重要視されている。しかしながら、定期的に体温計によって体温を測定し続けるのは面倒である。そこで、従来より、携帯電話等の移動通信端末に体温を検出するセンサを設け、ユーザが体温計を持ち歩くことなく日常の体温を測定できる技術が知られている（特許文献１乃至３）。
【０００３】
また、特許文献４には、体温を計測する温度センサーに加え、人体が温度センサーに接触しているか否かを検出する検知手段を設けることが開示されている。この検知手段は、人体の心拍数や血圧を測定することができる圧力センサーによって兼用することができる。
【０００４】
ここで、人体の体温を検出する温度センサーにあっては、人体と検出部との密着度により計測温度も大きく変化してしまう。そのため、正確な体温を測定するためには、所定の測定部位に体温を検出する検出部をしっかりと密着させる必要がある。
【０００５】
特許文献５には、電子体温計において、歪みゲージや多軸ジャイロセンサを用いて、体温測定部位に電子体温計が適切に装着されているか否かを検出し、適切に装着されていない場合には、音声でユーザに報知する技術が開示されている。
【先行技術文献】
【特許文献】
【０００６】
【特許文献１】国際公開第０５／０４８８３２号パンフレット
【特許文献２】特開２００２−０２７０５１号公報
【特許文献３】特開２００３−０６９６６６号公報
【特許文献４】特開２００５−２８７６９１号公報
【特許文献５】特開２００８−２３２８６５号公報
【発明の概要】
【発明が解決しようとする課題】
【０００７】
しかしながら、特許文献１乃至４に開示された移動通信端末に、特許文献５に開示された歪みゲージや多軸ジャイロセンサを設けることは、装置が大がかりとなり、小型化が要求される携帯電話等の移動通信端末に適さない。
【０００８】
本発明は、このような問題点に対してなされたものであり、移動通信端末の小型化を維持したまま、ユーザが適切な状態で体温を計測することができる移動通信端末及びその制御方法を提供することを目的とする。
【課題を解決するための手段】
【０００９】
本発明に係る移動通信端末の一態様は、表示部と、ユーザが前記表示部に接触した位置及び／又は圧力を検出する入力受付部と、を有するタッチパネルと、前記ユーザの体温を検出する温度センサーと、を備える。前記入力受付部は、前記ユーザの測定部位が前記温度センサーに適切に接触しているか否かを検出する機能を備えることを特徴とする。
【発明の効果】
【００１０】
移動通信端末の小型化を維持したまま、ユーザが適切な状態で体温を計測することができる移動通信端末を提供することができる。
【図面の簡単な説明】
【００１１】
【図１】本発明の実施の形態に係る移動通信端末の構成を示す図である。
【図２】本発明の実施の形態に係る移動通信端末の更に詳細な構成を示す図である。
【図３Ａ】本発明の実施の形態に係る移動通信端末の正面図である。
【図３Ｂ】本発明の実施の形態に係る移動通信端末の背面図である。
【図４】本発明の実施の形態に係る移動通信端末の接触状態検出機能付タッチパネルの構成を示す図である。
【図５Ａ】ユーザが右脇に本実施の形態に係る移動通信端末を挟んで体温を計測する様子を示す図である。
【図５Ｂ】ユーザが左脇に本実施の形態に係る移動通信端末を挟んで体温を計測する様子を示す図である。
【図６】本発明の実施の形態に係る移動通信端末の動作を示すフローチャートである。
【図７】本発明の実施の形態に係る移動通信端末の動作を示すフローチャートである。
【図８】本発明の実施の形態に係る移動通信端末の接触状態検出機能付タッチパネルの表示例を示す図である。
【図９】ユーザが移動通信端末を手前にずらした状態で測定部位に接触させている状態を示す図である。
【図１０】ユーザが移動通信端末を奥側にずらした状態で測定部位に接触させている状態を示す図である。
【図１１】ユーザが移動通信端末を下方にずらした状態で測定部位に接触させている状態を示す図である。
【図１２】接触状態検出機能付タッチパネルには十分にユーザの測定部位が接触しているが、温度センサにはユーザの測定部位が接触していない様子を示す図である。
【発明を実施するための形態】
【００１２】
実施の形態
以下、添付した図面を参照して本発明の実施の形態について説明する。以下、添付した図面を参照し、本発明の最良な実施の形態について説明する。
【００１３】
図１は、本発明の実施の形態に係る移動通信端末の構成例を示すブロック図である。この移動通信端末１００は、接触状態検出機能付タッチパネル５と温度センサー９を備えている。接触状態検出機能付タッチパネル５は、情報を表示する表示部５Ａと、ユーザの指等の位置及び／又は接触圧力を検出することによりユーザの操作を受け付ける入力受付部５Ｂを備えている。入力受付部５Ｂは、例えば、静電量式センサーによって構成することができる。
【００１４】
図２は、本発明の実施の形態に係る移動通信端末の更に詳細な構成を示すブロック図である。この移動通信端末１００は、アンテナ１、通信制御部２、操作部３、接触状態検出機能付タッチパネル５、スピーカー６、音声入出力部７、音声データ記憶部８、温度センサー９、正面カメラ１０、背面カメラ１１、電源制御部１２、位置測定部１３、データ記憶部１４、データ処理部１５、タイマー１６、及び全体制御部１７を備えている。
【００１５】
通信制御部２は、アンテナ１を介して、無線データの送受信を実現する。操作部３は、十字キー、テンキー等により構成される。操作部３は、移動通信端末１００の全体の操作を実現する。接触状態検出機能付タッチパネル５は、前述のように表示部５Ａと入力受付部５Ｂを備えている。表示部５Ａは、カラー液晶パネル等により構成される。この表示部５Ａは、ユーザに対して、各種の情報を表示する。表示部５Ａは、体温を測定するプログラムの起動時において、ユーザの測定部位が温度センサー９に適切に接触しているか否かを検出する対象となる位置である検出対象位置を表示するよう構成されている。
【００１６】
入力受付部５Ｂは、通常の移動通信端末１００の操作において、文字入力やメニュー選択などのユーザの操作を受け付けるよう構成されている。また、入力受付部５Ｂは、体温を測定するプログラムの起動時において、ユーザが表示部５Ａに触れた位置（接触面積）や接触圧力を検出する。なお、入力受付部５Ｂは、接触面積だけを検出するよう構成してもよく、また、接触圧力だけを検出するよう構成することができる。スピーカー６は、音声データ記憶部８から抽出したデータを再生し、音声としてユーザに知らせる。音声入出力部７は、マイク、レシーバを備えており、通話時の受話・送話を実現する。
【００１７】
音声データ記憶部８は、各種音声データが格納されている。温度センサー９は、例えば、シート状の温度センサーによって構成することができる。温度センサー９は、ユーザの測定部位の温度を測定する。電源制御部１２は、各部への電源供給や充電等を行う。位置測定部１３は、ＧＰＳ等を用いて現在地を測定する機能を備えている。データ記憶部１４は、温度センサー９によって測定されたユーザの体温のデータを格納する。さらに、データ記憶部１４には、その他のデータについても格納される。
【００１８】
データ処理部１５は、接触状態検出機能付タッチパネル５によって検出されたユーザの接触状態に基づいて、ユーザの測定部位が正常に温度センサー９に接触しているか否か判断する。また、データ処理部１５は、温度センサー９によって測定されたユーザの体温に関するデータが正常値の範囲内であるか否かを判定する。タイマー１６は、体温測定時間の計測や、密着度が適切でない間の時間を計測する。タイマー１６は、ユーザが体温の計測を開始してからの経過時間を計測する第１タイマー１６Ａと、体温計測時間中に、ユーザの接触状態が適当でない状態の時間を計測する第２タイマー１６Ｂを備えている。全体制御部１７は、移動通信端末１００に備えられている機能の全てを制御する。
【００１９】
図３Ａ及び３Ｂは、本発明の実施の形態に係る移動通信端末の正面図及び背面図である。なお、図３Ａ及び３Ｂでは、移動通信端末１００が折りたたみ式の携帯電話であるとして説明を行う。図３Ａは、折りたたみ式の携帯電話を開いた状態の正面図であり、図３Ｂは、その背面図である。図３Ａに示すように、接触状態検出機能付タッチパネル５の外周には、温度センサー９が設けられている。温度センサー９は、移動通信端末１００の正面において、接触状態検出機能付タッチパネル５の両側に１つずつ配置されている。
【００２０】
また、図３Ｂに示すように、温度センサー９は、移動通信端末１００の背面にも左右に１つずつ配置されている。このように、移動通信端末１００の正面及び背面のいずれにも温度センサー９を設けることで、ユーザが右脇で体温を計測する場合でも、左脇で体温を計測する場合でも、ユーザの身体に温度センサー９が接触することができる。なお、温度センサー９の配置は、これに限られず、ユーザの体温を計測し易いよう、任意の位置に配置することができる。なお、本発明は、折りたたみの携帯電話のみならず、いわゆるストレートタイプの携帯電話にも適用することができる。
【００２１】
図４は、本発明の実施の形態に係る移動通信端末の接触状態検出機能付タッチパネルの構成を示す図である。接触状態検出機能付タッチパネル５は、図４に示すように、１から１６の縦横４つずつの領域に分割されている。各領域には、接触範囲及び／又は接触圧力を検出することができるセンサーが設けられている。各領域のセンサーによってユーザが接触しているか否かを検出することにより、ユーザの接触範囲を検出することができる。
【００２２】
ユーザが体温を測定する場合では、移動通信端末１００は、ユーザの脇に挟まれた状態に配置される。すなわち、移動通信端末１００の接触状態検出機能付タッチパネル５が両面からユーザの身体によって挟まれて保持される。図５Ａ及び５Ｂは、本発明の実施の形態に係る移動通信端末を用いて、ユーザが体温を測定している状態を示す図である。図５Ａは、ユーザが右脇で体温を測定する様子を示しており、図５Ｂは、ユーザが左脇で体温を測定する様子を示している。
【００２３】
上記のように、温度センサー９は、正面側及び背面側に２つずつ設けられているため、右脇で体温を計測する場合であっても（図５Ａ）、左脇で体温を計測する場合であっても（図５Ｂ）、ユーザの体温を測定することができる。また、移動通信端末１００は、身体と腕の両側から挟みこまれるため、正面側のみ接触状態検出機能付タッチパネル５を設けていれば、右脇で体温を計測する場合であっても（図５Ａ）、左脇で体温を計測する場合であっても（図５Ｂ）、接触状態を検出することができる。
【００２４】
次に、このように構成された移動通信端末１００の動作について説明する。図６及び図７は、本発明の実施の形態に係る移動通信端末１００の動作を示すフローチャートである。図６に示すように、ユーザが接触状態検出機能付タッチパネル５に表示されるメニューから、体温計機能を選択したか否かを判定する（Ｓ１）。ステップＳ１において、体温計機能が選択されなかった場合には（ＮＯ）、図７のステップＳ３２に移動し、待ち受け画面に遷移する。一方、ステップＳ１において、ユーザが体温計測機能を選択したことが検出されると（Ｓ１においてＹＥＳ）、全体制御部１７は、温度センサー９を起動する（Ｓ２）。また、全体制御部１７は、接触状態検出機能付タッチパネル５を起動し、ユーザの接触状態が適切であるか  。これにより、タッチパネル５は、ユーザの身体の接触した範囲（位置）を検出すると共に、接触時の圧力を検出する（Ｓ３）。
【００２５】
次に、全体制御部１７は、音声ガイダンス機能をＯＮにする（Ｓ４）。そして、全体制御部１７は、データ記憶部１４に格納された音声データから最適なデータを選択し、スピーカー６から出力する（Ｓ５）。これによって、体温の計測を開始した旨のアナウンスをスピーカー６よりユーザに通知する。次に、全体制御部１７は、接触状態検出機能付タッチパネル５に、ユーザに測定部位へ接触してもらいたい範囲を表示する。これにより、ユーザに、測定部位へ接触してもらいたい範囲を視覚的に認識させる。具体的には、図８に示すように、接触状態検出機能付タッチパネル５のうち、温度センサー９の間に位置する部分５ａを斜線で示すように、背景と異なる色で表示する。そして、タッチパネル機能付接触状態検出機能付タッチパネル５の表示部５Ａの上方に、「画面の色がついている部分が隠れるように挟んでください。」というメッセージを表示する。
【００２６】
上記のメッセージを確認したユーザは、測定部位（例えば、右脇又は左脇）を画面の色がついている部分５ａに接触させる。ユーザが、部分５ａに測定部位を接触させることにより、部分５ａの両側の温度センサー９にユーザの測定部位が接触する。接触状態検出機能付タッチパネル５は、ユーザの測定部位が温度センサー９に適切に接触しているか、接触状態を検出する。具体的には、接触状態検出機能付タッチパネル５は、ユーザの測定部位が接触状態検出機能付タッチパネル５に触れている接触範囲を検出し、ユーザの接触状態を検出する。また、接触状態検出機能付タッチパネル５は、ユーザの測定部位の接触圧力を検出する。
【００２７】
データ処理部１５は、接触状態検出機能付タッチパネル５によって検出された接触範囲及び接触圧力に基づいて、ユーザの測定部位が適切に温度センサー９に接触しているか否かを判定する（Ｓ６）。具体的には、データ処理部１５は、ユーザの接触状態検出機能付タッチパネル５への接触範囲が十分な範囲以上であるか否かを判定することにより、ユーザの測定部位が適切に温度センサー９に接触しているか否かを判定する（Ｓ６）。
【００２８】
ここで、ユーザの測定部位の接触範囲が十分でない場合には、図９乃至１１に示す３つのパターンが考えられる。すなわち、図９に示すように、移動通信端末１００がユーザの測定部位（右脇）に対して、矢印のようにユーザの正面側にずれている場合、図１０に示すように、移動通信端末１００がユーザの測定部位（右脇）に対して、矢印のようにユーザの背面側にずれている場合と、図１１に示すように、移動通信端末１００がユーザの測定部位（右脇）に対して、矢印のように下方にずれている場合が考えられる。データ処理部１５は、接触状態が不十分な場合は（Ｓ６においてＮＯ）、接触状態検出機能付タッチパネル５で検出された接触範囲に基づいて、ユーザの接触状態が図９乃至１１のいずれかの状態であるか判定する。この判定結果は、全体制御部１７に出力される。
【００２９】
全体制御部１７は、データ処理部１５によって判定された３つのパターンに応じて、そのパターンに応じたサポート情報をスピーカー６から出力する（Ｓ５）。例えば、図１０に示すように、移動通信端末１００がユーザの測定部位（右脇）に対して、矢印のようにユーザの背面側にずれている場合には、移動通信端末１００を手前側にずらすようスピーカー６を介してアナウンスする。
【００３０】
また、接触状態検出機能付タッチパネル５により検出された接触圧力が、しきい値以下である場合には（Ｓ６においてＮＯ）、図１２に示すように、温度センサー９の一部が測定部位に触れていない可能性がある。このような場合には、ステップＳ５に戻り、ユーザに移動通信端末１００をより強く挟み込むよう、音声によってユーザにアナウンスする。
【００３１】
一方、ステップＳ６において、接触範囲及び接触圧力がしきい値以上である場合には（Ｓ６においてＹＥＳ）、温度センサーの電極部が正しく測定部位に触れており、適切な接触状態であると判断することができる。
【００３２】
データ処理部１５によって接触範囲及び接触圧力がしきい値以上と判断された場合には（Ｓ６においてＹＥＳ）、全体制御部１７は、第１タイマー１６Ａを起動し、体温の計測時間を計測する。ここで、体温の計測時間は、一般的に１８０秒程度とされている。そのため、全体制御部１７は、第１タイマー１６Ａを起動し、ユーザの測定部位が接触状態検出機能付タッチパネル５に接触している時間が１８０秒に至るまでカウントする。
【００３３】
第１タイマー１６Ａによるカウント中も、接触状態検出機能付タッチパネル５により接触範囲及び接触圧力の検出を継続する。そして、データ処理部１５は、第１タイマー１６Ａによってカウントされている１８０秒間において、接触状態検出機能付タッチパネル５により検出された接触範囲及び接触圧力がしきい値以上であるか否か判定する（Ｓ８）。第１タイマー１６Ａを起動してから、１８０秒以内に接触範囲、接触圧力のどちらかがしきい値以下に変化した場合（Ｓ８においてＮＯ）、第２タイマー１６Ｂを起動する（Ｓ９）。ここで、接触範囲及び接触圧力のいずれかがしきい値以下に変化した場合には、ユーザの測定部位が温度センサー９からずれてしまったと考えられるが、一瞬だけ接触範囲や接触圧力に変化があった場合は、計測結果にほとんど影響を及ぼさないため、無視することができる。
【００３４】
そこで、第２タイマー１６Ｂは、接触範囲及び接触圧力がしきい値以下になった時間を計測する。データ処理部１５は、第２タイマー１６Ｂによってカウントされた接触範囲及び接触圧力のいずれかがしきい値以下に変化した間の時間に基づいて、適切な接触状態が保たれているか否かを判定する。所定のしきい値時間内に、接触範囲や接触圧力がしきい値以上に戻った場合には（ステップＳ１０においてＹＥＳ）、第２タイマー１６Ｂのカウントを終了する。なお、第１タイマー１６Ａのカウントは、第２タイマー１６Ｂのカウント中にも継続させておく。
【００３５】
一方、ステップＳ１０において、所定の時間内に接触範囲や接触圧力がしきい値以上に戻らない場合には（ステップＳ１０においてＮＯ）、第１タイマー１６Ａ及び第２タイマー１６Ｂをリセットする（Ｓ１１）。そして、ステップＳ５に戻り、ユーザの接触状態に応じて適切なアナウンスを行なう。
【００３６】
一方、ステップＳ８において、第１タイマー１６Ａによってカウントされた１８０秒間の間に、接触範囲や接触圧力がしきい値以上であった場合には（ステップＳ８においてＹＥＳ）、図７のステップＳ２１に示すように、第１タイマー１６Ａの計測時間である１８０秒が経過したことをアラームでユーザに通知する（Ｓ２１）。そして、温度センサー９によって計測された温度を、データ記憶部１４に格納すると共に、接触状態検出機能付タッチパネル５に表示する（Ｓ２２）。
【００３７】
データ処理部１５は、温度センサー９によって検出された温度が予め設定された正常体温の±２℃の範囲内であるか否かを判定する（Ｓ２３）。初めて利用する場合は、正常体温を、日本人の平均体温である約３６．８９℃として設定し、以降ユーザの平均体温等を正常体温として利用することができる。ステップＳ２３において、温度センサー９によって検出された温度が予め設定された正常体温の±２℃の範囲内でない場合には（ＮＯ）、体調不良である可能性が高いと判断し、ＧＰＳ等で構成されている位置測定部１３によって取得された現在位置に近い病院を接触状態検出機能付タッチパネル５に表示する（Ｓ２４）。具体的には、最寄りの病院の地図等を示すことで、ユーザに診療を促す。
【００３８】
一方、ステップＳ２３において、データ処理部１５において、温度センサー９によって検出された温度が予め設定された正常体温の±２℃の範囲内であると判断された場合には（Ｓ２３においてＹＥＳ）、ステップＳ２５に進む。すなわち、データ処理部１５は、更に、温度センサー９によって検出された温度が予め設定された正常体温の±１℃の範囲内であるか否かを判定する（Ｓ２５）。そして、ステップＳ２５において、検出された体温が正常体温の±１℃の範囲内でないと判断された場合には（ＮＯ）、薬の服用や日常生活のアドバイス等の画面を表示し、体調管理を促す（Ｓ２６）。
【００３９】
一方、ステップＳ２５において、検出された体温が正常体温の±１℃の範囲内であると判断された（ＹＥＳ）場合では、体温計測機能をＯＦＦするか否かをユーザに問い合わせるメッセージを接触状態検出機能付タッチパネル５に表示する。また、ステップＳ２６の薬の服用や日常生活のアドバイス等の体調管理を促した後にも、体温計測機能をＯＦＦするか否かをユーザに問い合わせるメッセージを、接触状態検出機能付タッチパネル５に表示する。そして、ステップＳ２７において、体温計測機能をＯＦＦする旨のユーザの操作が受け付けられたか否か判断する。
【００４０】
ステップＳ２７において、体温計機能をＯＦＦしない旨のユーザの操作を受け付けた場合には（ＮＯ）、ステップＳ２６に戻り、体温管理のアドバイス等を更に表示する。一方、ステップＳ２７において、体温計機能をＯＦＦする旨のユーザの操作を受け付けた場合には（ＹＥＳ）、音声ガイダンスをＯＦＦにし（Ｓ２８）、接触状態検出機能付タッチパネル５による接触範囲・接触圧力の検出機能をＯＦＦする（Ｓ２９）。そして、温度センサー９をＯＦＦにし（Ｓ３０）、体温計を計測するアプリケーションをＯＦＦにする（Ｓ３１）。そして、待ち受け画面に遷移する（Ｓ３２）。
【００４１】
本実施の形態に係る移動通信端末では、以上の動作手順により、接触状態検出機能付タッチパネル５によってユーザの測定部位と温度センサー９との接触状態を検出することができる。これにより、ユーザが正しい測定状態で体温を計測することをサポートすることができる。また、接触状態を検出する接触状態検出機能を、通常の移動通信端末１００の操作を行なうことができるタッチパネルに兼用することによって、小型化が要求される移動通信端末１００において、新たに装置を追加することなく、ユーザの体温測定をサポートする機能を追加することができる。
【００４２】
また、計測結果と健康時の体温の差が大きい場合には、位置検出機能を用いた周辺病院の位置通知や薬の服用・日常生活のアドバイスを通知させることで、ユーザにより健康意識を高めてもらうことができる。 
【００４３】
なお、本発明は上記実施の形態に限られたものではなく、趣旨を逸脱しない範囲で適宜変更することが可能である。例えば、接触状態検出機能付タッチパネル５の入力受付部５Ｂを静電容量式センサーによって構成し、２以上のしきい値を用いて接触圧力を検出するよう構成することができる。また、入力受付部５Ｂを静電容量式センサーによって構成し、通常のタッチパネルとして入力受付部５Ｂを利用する場合と、体温計測時に接触状態を計測する場合とで、静電容量式センサーの感度を変えるよう構成することもできる。
【００４４】
（付記）
（付記１）
表示部と、ユーザが前記表示部に接触した位置及び／又は圧力を検出する入力受付部と、を有するタッチパネルと、
前記ユーザの体温を検出する温度センサーと、を備え、
前記入力受付部は、前記ユーザの測定部位が前記温度センサーに適切に接触しているか否かを検出する機能を備える、移動通信端末。
（付記２）
体温を測定するプログラムの起動時において、前記入力受付部は、前記ユーザの測定部位が前記温度センサーに適切に接触しているか否かを検出する、付記１又は２に記載の移動通信端末。
（付記３）
前記体温を測定するプログラムの起動時において、前記入力受付部は、前記ユーザの前記測定部位が前記タッチパネルに接触する接触面積を検出する、付記２に記載の移動通信端末。
（付記４）
前記体温を測定するプログラムの起動時において、前記入力受付部は、前記ユーザの前記測定部位が前記タッチパネルに接触する接触圧力を検出する、付記２又は３に記載の移動通信端末。
（付記５）
スピーカーと、
前記入力受付部によって検出された前記接触面積及び／又は前記接触圧力に基づいて、前記ユーザに適切な計測状態を促すアナウンスを前記スピーカーから出力するデータ処理部と、を更に備えた付記３又は４に記載の移動通信端末。
（付記６）
前記体温を測定するプログラムの起動時において、前記表示部は、前記ユーザの前記測定部位が前記温度センサーに適切に接触しているか否かを検出する対象となる位置である検出対象位置を表示する、付記２乃至５のうちいずれか１に記載の移動通信端末。
（付記７）
前記温度センサーは、前記タッチパネルの外周に配される、付記１乃至６のうちいずれか１に記載の移動通信端末。
（付記８）
前記温度センサーは、前記タッチパネルの両側に配される、付記１乃至７のうちいずれか１に記載の移動通信端末。
（付記９）
前記入力受付部は、静電容量式センサーを備える、付記１乃至８のうちいずれか１項に記載の移動通信端末。
（付記１０）
前記入力受付部は、検知電極を備え、前記検知電極と前記ユーザの測定部位との間の静電容量と、複数のしきい値とを比較することにより前記接触圧力を検出する、付記１０に記載の移動通信端末。
（付記１１）
前記ユーザの測定部位を前記温度センサーが測定している時間をカウントする第１カウンタを設けた付記１乃至１０のうちいずれかに記載の移動通信端末。
（付記１２）
前記ユーザの測定部位が前記温度センサーに適切に接触していない時間をカウントする第２カウンタを設けた付記１乃至１１のうちいずれかに記載の移動通信端末。
（付記１３）
表示部と、ユーザが前記表示部に接触した位置及び／又は圧力を検出する入力受付部と、を有するタッチパネルと、
前記ユーザの体温を検出する温度センサーと、を備えた移動通信端末の制御方法であって、
体温を測定するプログラムの起動時において、前記入力受付部によって前記ユーザの測定部位が前記温度センサーに適切に接触しているか否かを検出する
移動通信端末の制御方法。
【符号の説明】
【００４５】
１    アンテナ
２    通信制御部
３    操作部
５    接触状態検出機能付タッチパネル
５Ａ    表示部
５Ｂ    入力受付部
６    スピーカー
７    音声入出力部
８    音声データ記憶部
９    温度センサー
１０    正面カメラ
１１    背面カメラ
１２    電源制御部
１３    位置測定部
１４    データ記憶部
１５    データ処理部
１６    タイマー
１６Ａ    第１タイマー
１６Ｂ    第２タイマー
１７    全体制御部
１００    移動通信端末
【図１】
2011176551.tif 000003
【図２】
2011176551.tif 000004
【図３Ａ】
2011176551.tif 000005
【図３Ｂ】
2011176551.tif 000006
【図４】
2011176551.tif 000007
【図５Ａ】
2011176551.tif 000008
【図５Ｂ】
2011176551.tif 000009
【図６】
2011176551.tif 000010
【図７】
2011176551.tif 000011
【図８】
2011176551.tif 000012
【図９】
2011176551.tif 000013
【図１０】
2011176551.tif 000014
【図１１】
2011176551.tif 000015
【図１２】
2011176551.tif 000016